(57)【要約】【課題】特に音響機器に使用される真空管の機能を良好に発揮させ、真空管の音響機器に対する悪影響と、周囲から真空管に対する悪影響を排除することができる真空管ショックアブソーバーを提供すること。【解決手段】真空管本体１の下部２に設けられている複数の端子ピン３が通る端子ピン孔４が、円盤状部材５の所定の位置に、上記端子ピン３と同数形成され、上記端子ピン３が上記端子ピン孔４を通して真空管のソケット６に装着された際、真空管の振動がソケット６に伝播しないように構成されていることを特徴とする真空管ショックアブソーバー。【選択図】図１
2009193762.tif 000002
【特許請求の範囲】
【請求項１】
真空管本体（１）の下部（２）に設けられている複数の端子ピン（３）が通る端子ピン孔（４）が、円盤状部材（５）の所定の位置に、上記端子ピン（３）と同数形成され、上記端子ピン（３）が上記端子ピン孔（４）を通して真空管のソケット（６）に装着された際、真空管の振動がソケット（６）に伝播しないように構成されていることを特徴とする真空管ショックアブソーバー。
【請求項２】
円盤状部材（５）が、絶縁性材料および／または導電性材料によって形成されている請求項１に記載の真空管ショックアブソーバー。
【請求項３】
円盤状部材（５）が、導電性材料によって形成され、端子ピン（３）が該導電性材料に非接触状態に形成されて、真空管ソケット（６）から発生する電磁波が遮断される請求項１に記載の真空管ショックアブソーバー。
【請求項４】
真空管の下部に絶縁性のガイド（７）が形成され、該ガイド（７）の周囲に端子ピン（３）が形成された真空管用であって、円盤状部材（５）の中心部に上記ガイド（７）が通るガイド孔（８）が形成され、その周囲の所定位置に端子ピン（３）の外径よりも大きい内径の端子ピン孔（４）が端子ピン（３）と同数個形成されている請求項１に記載の真空管ショックアブソーバー。
【請求項５】
円盤状部材（５）が、絶縁性材料層（Ｘ）と導電性材料層（Ｙ）との積層体であり、該積層体には、真空管の端子ピン（３）と同数の端子ピン孔（４）が形成され、これらの端子ピン孔（４）のうちの少なくとも２個（４１、４２）において、導電性材料層（Ｙ）に形成された端子ピン孔（ｙ）が、絶縁性材料層（Ｘ）に形成された端子ピン孔（ｘ）の孔径よりも大きく形成され、端子ピン（３）が導電性材料層（Ｙ）に対して非接触とされている請求項１に記載の真空管ショックアブソーバー。
【発明の詳細な説明】
【技術分野】
【０００１】
本発明は、真空管ショックアブソーバーに関し、特に音響機器に使用される真空管の機能を良好に発揮させ、真空管の音響機器に対する悪影響と、周囲からの真空管に対する悪影響を排除することができる真空管ショックアブソーバーに関する。
【背景技術】
【０００２】
従来、信号増幅機能などを有する真空管の多くは、半導体素子によって置き換えられているが、オーディオ機器用真空管は、独特の音質を有する増幅用素子として現在においても一部の音楽家に愛好され、高級オーディオアンプやギターアンプなどの用途で使用されている。特にギターアンプでは、現在でも極一部の初心者用廉価品を除くと、ほぼ１００％、真空管方式が採用されている。
【０００３】
上記オーディオ機器に使用されている真空管は、その作動時に振動を発生し、該振動が安定しない状態で使用すると、音質に変化が生じ、音質が低下するという課題がある。また、真空管の振動が安定した後でも随時微小振動が発生し、オーディオ機器においてノイズ発生などの音質低下が発生するという課題があった。
【０００４】
また、真空管をオーディオ機器のソケットに装着する際や、その後においてもソケットなどの他の機器から電磁波が発生しており、この電磁波が真空管の性能に微妙な影響を及ぼし、ノイズなどの微妙な音質変化を与えるという課題があった。真空管と他の部材との相互関係を解消する方法が、特許文献１に開示されているが、この開示技術によっては上記の如き課題は十分に解決することはできない。
【特許文献１】特開平８−２８８０３９号公報
【発明の開示】
【発明が解決しようとする課題】
【０００５】
従って本発明の目的は、特に音響機器に使用される真空管の機能を良好に発揮させ、真空管の音響機器に対する悪影響と、周囲から真空管に対する悪影響を排除することができる真空管ショックアブソーバーを提供することである。
【課題を解決するための手段】
【０００６】
上記目的は以下の本発明によって達成される。すなわち、本発明は、真空管本体１の下部２に設けられている複数の端子ピン３が通る端子ピン孔４が、円盤状部材５の所定の位置に、上記端子ピン３と同数形成され、上記端子ピン３が上記端子ピン孔４を通して真空管のソケット６に装着された際、真空管の振動がソケット６に伝播しないように構成されていることを特徴とする真空管ショックアブソーバーを提供する。上記円盤状部材５は、絶縁性材料および／または導電性材料によって形成することができる。
【０００７】
また、本発明は、上記円盤状部材５が、導電性材料によって形成され、端子ピン３が該導電性材料に非接触状態に形成されて、真空管ソケット６から発生する電磁波が遮断される上記の真空管ショックアブソーバーを提供する。
【０００８】
また、本発明は、真空管の下部に絶縁性のガイド７が形成され、該ガイド７の周囲に端子ピン３が形成された真空管用であって、円盤状部材５の中心部に上記ガイド７が通るガイド孔８が形成され、その周囲の所定位置に端子ピン３の外径よりも大きい内径の端子ピン孔４が端子ピン３と同数個形成されている上記の真空管ショックアブソーバーを提供する。
【０００９】
また、本発明は、円盤状部材５が、絶縁性材料層Ｘと導電性材料層Ｙとの積層体であり、該積層体には、真空管の端子ピン３と同数の端子ピン孔４が形成され、これらの端子ピン孔４のうちの少なくとも２個４１、４２において、導電性材料層Ｙに形成された端子ピン孔ｙが、絶縁性材料層Ｘに形成された端子ピン孔ｘの孔径よりも大きく形成され、端子ピン３が導電性材料層Ｙに対して非接触とされている上記の真空管ショックアブソーバーを提供する。
【発明の効果】
【００１０】
本発明によれば、特に音響機器に使用される真空管の機能を良好に発揮させ、真空管の音響機器に対する悪影響と、周囲から真空管に対する悪影響を排除することができる真空管ショックアブソーバーを提供することができる。
【発明を実施するための最良の形態】
【００１１】
次に発明を実施するための最良の形態を図面を参照してさらに詳しく説明する。本発明の真空管ショックアブソーバーは、図３、図４に示すように、真空管１０を、オーディオ機器のソケット６に装着する際、真空管１０の本体１の下部２に形成された複数本の端子ピン３を挿通し、図４に示すように真空管１０をソケット６に装着した状態で、真空管１０とソケット６との間の振動や電磁波を遮断するものである。
【００１２】
本発明の真空管ショックアブソーバーの１例を図１に示す。この例の真空管ショックアブソーバーは、真空管が、図３に示すように、下部２の下面のほぼ中心にガイド７が形成され、その周囲に複数本（図３の例では８本）の端子ピン３が形成されている真空管用のショックアブソーバーである。この真空管ショックアブソーバーは、真空管１０の下部２の下面と略同一形状の円盤状部材からなり、その中心には真空管１０の上記ガイド７を挿通する際、ガイド７がガタつかない程度に、丁度挿通されるガイド孔８が設けられている。該ガイド孔８の一部に形成されている凸状空間８１は、ガイド７に設けられた突条（不図示）の挿入部分である。
【００１３】
上記円盤状部材５のガイド孔８の周囲には、真空管の端子ピン３と同数の端子ピン孔４が形成されている。この端子ピン孔４は、端子ピン３の直径の１．１〜３倍程度の孔径に形成されており、端子ピン３を挿通する際、端子ピン３が端子ピン孔４の壁面に接触しないようになっている。図１ｂは、図１ａのＡ−Ａ断面図である。
【００１４】
図２に示す例は、図３に示す真空管１０において、ガイド７が存在しない場合の真空管用のショックアブソーバーを示す図である。図２に示す例の真空管ショックアブソーバーは、図２ａのＢ−Ｂ断面図である図２ｂ、ｃに示すように、円盤状部材５が、絶縁性材料層Ｘと導電性材料層Ｙの２層または３層の積層体であり、該積層体には、真空管１０の端子ピン３と同数の端子ピン孔４が形成されている。これらの端子ピン孔４のうちの少なくとも２個（４１、４２）において、導電性材料層Ｙに形成された端子ピン孔ｙが、絶縁性材料層Ｘに形成された端子ピン孔ｘの孔径よりも大きく形成されている。このようにして、上記端子ピン孔ｘを端子ピン３の直径よりも僅かに大きく形成することで、真空管１０をショックアブソーバーを通してソケット６に装着する際、端子ピン３がガタつくことがない。また、端子ピン孔ｙは、端子ピン孔ｘよりも大きく形成されているので、真空管を装着する際、端子ピン３が導電性材料層Ｙに接触することがない。
【００１５】
以上の本発明の真空管ショックアブソーバーの円盤状部材５の材質は如何なるものでもよく、例えば、熱可塑性樹脂、熱硬化性樹脂、導電性樹脂、金属、セラミック、これらの複合材料などであり得る。例えば、図１に示す真空管ショックアブソーバーの場合には、上記いずれの材料であっても問題はない。特に好ましい材質は、その生産性、耐熱性、振動吸収性、電磁波遮蔽性などの点で、耐熱性の導電性樹脂が好ましい。特に炭素繊維からなる織布にエポキシ樹脂、フェノール樹脂、アミノ樹脂、メラミン樹脂などの熱硬化性樹脂を含浸させて硬化させた材料が好適である。また、図２に示す例の真空管ショックアブソーバーの導電性材料としては、上記の導電性樹脂が好ましく、また、絶縁性材料としては、上記の炭素繊維などの導電材を含まない上記の如き熱硬化性樹脂が好適である。
【００１６】
上記の如き材料から導電性および／または非導電性シートを作成し、これらのシートから円盤状部材５を打抜くとともに、同時に端子ピン孔４やガイド孔８も打ち抜くことで、本発明の真空管ショックアブソーバーが得られる。得られる真空管ショックアブソーバーの形状は、真空管下部面とほぼ同じ形状の円盤状が好ましく、その厚みは特に限定されないが、単板および積層板のいずれの場合も、０．５〜１．５ｍｍ程度の厚みが好ましい。
【００１７】
上記本発明のショックアブソーバーの使用方法を図３、４を参照して説明する。真空管１０を音響機器のソケット６に装着する際、図３に示すように、真空管１０のガイド７および端子ピン３を、ショックアブソーバーのガイド孔８および端子ピン孔４中にそれぞれ挿通する。その状態でソケット６に装着することで、真空管１０がショックアブソーバーを介してソケット６に装着される。この際、端子ピン３が、ショックアブソーバーの導電部材に接触することはない。
【産業上の利用可能性】
【００１８】
本発明によれば、真空管を音響機器のソケットに装着して使用する際、真空管の振動がソケットを経由して音響部材に伝播することを防止でき、真空管の振動によるノイズや音質低下を防止することができるショックアブソーバーが提供される。また、ショックアブソーバーの材質として導電性材料を使用することで、真空管の装着時、および装着状態において、ソケットや音響部材から発生する電磁波の真空管への伝播を阻止して、これらの電磁波に基づく真空管の変調を防止し、真空管の変調に基づくノイズや音質低下を防止することができるショックアブソーバーを提供することができる。
【図面の簡単な説明】
【００１９】
【図１】本発明の１実施例の真空管ショックアブソーバーを説明する図。
【図２】本発明の他の実施例の真空管ショックアブソーバーを説明する図。
【図３】本発明の真空管ショックアブソーバーの使用の状態を説明する図。
【図４】本発明の真空管ショックアブソーバーの使用の状態を説明する図。
【符号の説明】
【００２０】
１：真空管本体
２：真空管下部
３：端子ピン
４：端子ピン孔
５：円盤状部材
６：ソケット
７：ガイド
８：ガイド孔
１０：真空管
【図１】
2009193762.tif 000003
【図２】
2009193762.tif 000004
【図３】
2009193762.tif 000005
【図４】
2009193762.tif 000006